(57)【要約】【課題】記録開始時刻及び記録終了時刻を設定した場合、この記録開始時刻を跨ぐ番組、及び又は記録終了時刻を跨ぐ番組が存在したとしても、適応的に前記記録開始時刻及び又は前記記録終了時刻をシフトさせることができる。【解決手段】本実施形態によれば、記録制御部が番組を記録媒体に記録する。記録時間帯設定部は、記録制御部を制御して、記録開始時刻と記録終了時刻で設定した設定時間帯に放送される複数の番組を自動記録させる。記録開始終了時間判定部は、前記記録制御部を制御して、電子番組ガイド情報を利用して、前記設定時間帯に一部が含まれる第１の番組であって開始時間が前記記録開始時刻より早い時間の場合は、前記設定時間帯に関係なく番組の開始時間から前記第１の番組の記録を行い、さらに前記設定時間帯に一部が含まれる第２の番組であって終了時間が前記記録終了時刻より遅い時間の場合は、前記設定時間帯に関係なく、前記第２の番組の記録終了時刻を延ばす。【選択図】図１
2013115699.tif 000002
【特許請求の範囲】
【請求項１】
複数チャネルの番組を一括記録可能な記録装置において、
番組を記録媒体に記録する記録制御部と、
前記記録制御部を制御して、記録開始時刻と記録終了時刻で設定した設定時間帯に放送される複数の番組を自動記録させる記録時間帯設定部と、
前記記録制御部を制御して、電子番組ガイド情報を利用して、前記設定時間帯に一部が含まれる第１の番組であって開始時間が前記記録開始時刻より早い時間の場合は、前記設定時間帯に関係なく番組の開始時間から前記第１の番組の記録を行い、さらに前記設定時間帯に一部が含まれる第２の番組であって終了時間が前記記録終了時刻より遅い時間の場合は、前記設定時間帯に関係なく、前記第２の番組の記録終了時刻を延ばす記録開始終了時間判定部と
を有する番組記録装置。
【請求項２】
さらに前記記録制御部を制御して、任意の指定番組に対して、記録をせずスキップさせる手段を有する請求項１記載の番組記録装置。
【請求項３】
さらに前記記録制御部を制御して、前記設定時間帯と異なる時間帯の任意の指定番組の記録を行う手段を有する請求項１記載の番組記録装置。
【請求項４】
複数チャネルの番組を一括記録可能な記録装置の番組記録方法において、
番組を記録媒体に記録する記録制御部有し、
前記記録制御部を制御して、記録開始時刻と記録終了時刻で設定した設定時間帯に放送される複数の番組を自動記録させ、
前記記録制御部を制御して、電子番組ガイド情報を利用して、前記設定時間帯に一部が含まれる第１の番組であって開始時間が前記記録開始時刻より早い時間の場合は、前記設定時間帯に関係なく番組の開始時間から前記第１の番組の記録を行い、さらに前記設定時間帯に一部が含まれる第２の番組であって終了時間が前記記録終了時刻より遅い時間の場合は、前記設定時間帯に関係なく、前記第２の番組の記録終了時刻を延ばす、
番組記録方法。
【発明の詳細な説明】
【技術分野】
【０００１】
本発明の実施形態は番組記録装置と番組記録方法に関する。
【背景技術】
【０００２】
番組記録装置では、電子番組ガイド（ＥＰＧ）情報が使用される。ＥＰＧ情報は、放送される番組の番組情報（チャンネル、放送時間帯、番組名、ジャンル情報など）を含み、このＥＰＧ情報を利用して番組表を作成することができる。ＥＰＧ情報は、未来に放送される番組の番組情報も含むので、ＥＰＧ情報を利用して記録予約情報を作成することが可能である。このようにＥＰＧ情報を利用して記録予約情報（記録開始時刻、記録終了時刻）を作成し、記録すべき番組を決定する装置は従来から知られている。従来の装置は、個々の番組に対して独立して記録予約情報を作成している。
【先行技術文献】
【特許文献】
【０００３】
【特許文献１】特開２００３−３３３４７９号公報
【発明の概要】
【発明が解決しようとする課題】
【０００４】
最近は、番組記録装置として、複数のチャンネルで放映される全ての番組を、複数日に渡って記録できる装置が開発されている。この種の番組記録装置では、多くの番組を自動的に記録媒体に記録するので、記録媒体の記録容量として大容量のもの（ハードディスクドライブ装置：ＨＤＤ）を用いている。
【０００５】
したがってこの種の番組記録装置では、膨大な数の番組が記録媒体に記録される。この結果、番組記録装置では、視聴者の興味の薄い番組も記録されてしまい、記録媒体の記録容量が無駄に使用されることも否定できない。
【０００６】
そこで本実施形態では、一括記録動作に関しては、記録開始時刻及び記録終了時刻を設定でき、この設定により、記録媒体の記録容量が有効に活用されるようにした番組記録装置と番組記録方法を提供することを目的とする。
【０００７】
さらに本実施形態では、記録開始時刻及び記録終了時刻を設定したために、この記録開始時刻を跨ぐ番組、及び又は記録終了時刻を跨ぐ番組が存在する場合があるが、このような場合、適応的に前記記録開始時刻及び又は前記記録終了時刻をシフトさせることができる番組記録装置と番組記録方法を提供することを目的とする。
【課題を解決するための手段】
【０００８】
本実施形態によれば、記録制御部が番組を記録媒体に記録する。記録時間帯設定部は、記録制御部を制御して、記録開始時刻と記録終了時刻で設定した設定時間帯に放送される複数の番組を自動記録させる。記録開始終了時間判定部は、前記記録制御部を制御して、電子番組ガイド情報を利用して、前記設定時間帯に一部が含まれる第１の番組であって開始時間が前記記録開始時刻より早い時間の場合は、前記設定時間帯に関係なく、番組の開始時間から前記第１の番組の記録を行い、さらに前記設定時間帯に一部が含まれる第２の番組であって終了時間が前記記録終了時刻より遅い時間の場合は、前記設定時間帯に関係なく、前記第２の番組の記録終了時刻を延ばす。
【図面の簡単な説明】
【０００９】
【図１】実施形態の構成の一例を示すブロック図である。
【図２】ＥＰＧ情報に基づき再生された番組表の表示の一例を示す図である。
【図３】ＥＰＧ情報に基づき再生された番組表の表示の一例であり、この番組表に番組を記録したい時間帯を指定した場合の図である。
【図４】図１で示した記録開始終了時間判定部２０５が時間帯開始時間ＳＴを用いて動作する場合の例を示す判定フローチャートである。
【図５】図1で示した記録開始終了時間判定部２０５が時間帯終了時間ＥＴを用いて動作する場合の例を示す判定フローチャート。
【図６】スキップ（或いは選択）指定記録時の番組表の一例を示す図である。
【図７】スキップジャンル設定画面の一例を示す図である。
【図８】番組ジャンル区分の一例を示す図である。
【図９】ユーザが記録をスキップしたい番組のジャンルを設定するためのスキップジャンル設定の例を示すフローチャートである。
【図１０】ユーザが記録スキップしたい番組のジャンルを設定した場合のスキップ設定時の例を示す記録フローチャートである。
【発明を実施するための形態】
【００１０】
以下、実施の形態について図面を参照して説明する。図１は、本実施形態に係る番組記録装置が適用された記録再生装置１００を示す。
【００１１】
記録再生装置１００は、地上波デジタル放送信号を取り出す複数個のチューナからなる地上波デジタルチューナ部１０１、衛星ＢＳ／ＣＳデジタル放送信号を取り出す複数個のチューナからなる衛星ＢＳ／ＣＳデジタルチューナ部１０２、ライン入力信号を取り出すＡ／Ｖ入力部１０３を備える。
【００１２】
スイッチ部１０４は、地上波デジタルチューナ部１０１、又は衛星ＢＳ／ＣＳデジタルチューナ部１０２、又はＡ／Ｖ入力部１０３からの入力信号の何れかを選択して、エンコーダ部１０５に供給する。
【００１３】
エンコーダ部１０５は入力信号をエンコードする。フォーマッタ部１０６は、エンコードされたデータを規程のデータ方式に構築する。バッファメモリ部１０７は、フォーマッタ部１０６のワークメモリとして利用される。ＳＴＣ（システムタイムクロック）１０８は、バッファメモリ部１０７、エンコーダ部１０５及びデコーダ部１１３の時間管理を行う。Ｄ−ＰＲＯ（デジタルプロセッサー）部１０９は、データプロセッサとしてリード／ライト装置とデータ授受を行う。リード／ライト装置のひとつは、ＤＶＤ／ＢＤディスク１１２へのデータ読み書きを行うディスクドライブ部１１０、またリード／ライト装置の他のひとつは、ハードディスクへのデータ読み書きを行うＨＤＤ部１１１である。
【００１４】
デコーダ部１１３は、リード／ライト装置から読み出したデータをデコードする。セレクタ部１１４は、エンコーダ部１０５及びデコーダ部１１３から出力されるオーディオデータを選択する。選択されたオーディオデータは、Ｄ／Ａ変換部１１５でデジタル−アナログ変換されスピーカ出力部１１６に供給され、スピーカ出力部１１６は、アナログ音声を外部出力する。
【００１５】
Ｖミキシング部１１７は、エンコーダ部１０５及びデコーダ部１１３から出力されるビデオ信号を選択合成する。フレームメモリ１１８は、Ｖミキシング部１１７のワークメモリである。Ｄ／Ａ変換部１１９は、ビデオデータをデジタル−アナログ変換する。アナログ変換信号はモニタ部１２０により外部モニタへ出力される。
【００１６】
上記のＡ／Ｖ回路は、マイクロプロセッサユニット（ＭＰＵ）２００により制御される。ＭＰＵの称呼はこれに限定されるものではなく、制御部、制御手段、制御器、制御モジュールなどと称されてもよい。操作入力部１２１はユーザからの操作入力をＭＰＵ２００に入力し、ＭＰＵ２００は、操作入力に応じて装置の動作を実行する。表示部１２２は、操作状況や記録再生状況を表示する。
【００１７】
ＭＰＵ２００は、デジタル放送信号又はインターネット経由（図示せず）から取得できるＥＰＧ情報を処理するＥＰＧ情報処理部２０１を有する。またＭＰＵ２００は、放送信号などの受信を制御する受信制御部２０２、記録不要な番組のジャンル（例えば、各局で放送されるＴＶショップ等の番組）をユーザが予め設定するスキップ条件設定部２０３を有する。
【００１８】
ＭＰＵ２００は、ユーザが（又は初期設定で）指定した任意の時間帯（例えば、１９：００〜２２：００の３時間のゴールデンタイムの設定時間帯）の番組だけを自動記録する記録時間帯設定部２０４を有する。
【００１９】
ＭＰＵ２００は、記録開始終了時間判定部２０５を有する。この記録開始終了時間判定部２０５は、前記記録時間帯設定部２０４で設定された設定時間帯のある番組の開始時間が前記設定時間帯より早い時間（例えば、１８：３０〜）の場合は、設定時間帯に関係なく、番組の開始時間から記録を開始し、さらに前記設定時間帯のある番組の終了時間が前記設定時間帯より遅い時間（例えば、〜２３：００）の場合は、前記設定時間帯に関係なく、記録終了時刻を延ばすことができる。
【００２０】
即ち、記録時間帯設定部２０４により、記録開始時刻と記録終了時刻で設定された設定時間帯に放送される複数の番組の自動記録が実行される。しなしながら、電子番組ガイド情報を利用して、記録開始終了時間判定部２０５の判定により、前記設定時間帯に含まれる第１の番組であって前記第１の番組の開始時間が前記記録開始時刻より早い時間の場合は、前記設定時間帯に関係なく前記第１の番組の記録を行い、さらに前記設定時間帯に含まれる第２の番組であって該第２の番組の終了時間が前記記録終了時刻より遅い時間の場合は、設定時間帯に関係なく、前記第２の番組の記録終了時刻を延ばす処理が実行される。
【００２１】
上記のように記録開始時刻が設定時間帯よりも早い時間に変更されたり、或いは記録終了時刻が設定時間帯よりも遅い時間に変更されるなどの調整が行われる。この場合、設定時間帯以外の他の番組に関しては、記録が実行されてもよいし、記録が省略されてもよい。
【００２２】
またＭＰＵ２００は、高画質で記録したい番組のジャンル（例えば、図３の音楽３３５等の番組）をユーザが予め設定することができる高画質ジャンル条件設定部２０６を有する。後で説明するジャンル選択を行い、かつメニューで高画質の選択を行うと、選択されたジャンルの番組については、通常録画される番組とは異なり、ビットレートを上げて画質は高画質、音声は高音質で記録を行うことができる。
【００２３】
記録制御部２０７は、番組を記録媒体に対して記録するに際して、記録スキップ条件設定部２０３、記録時間帯設定部２０４、記録開始終了時間判定部２０５、高画質ジャンル条件設定部２０６の記録制御の条件に基づき記録制御を行う。自動削除処理制御部２０８は、記録制御部２０７の指示により記録した番組の自動削除を行うことができる。再生制御部２０９は、記録した番組の再生を行う。
【００２４】
図２は、ＥＰＧ情報処理部２０１において、ＥＰＧ情報に含まれる番組情報からジャンル情報を用いて作成され、再生された番組表の表示の一例を示す。同図において、３１０は、各放送局名の欄を示し、３２０は、時間帯を示す。また３３０は、各放送局３１０と時間帯３２０が交差する番組欄３３０であり、番組ジャンルを含む。この番組表の例はジャンルを示した一例であり、その他に番組名、番組のチャンネル、出演者などを表示してよいことは勿論である。
【００２５】
図３は、ＥＰＧ情報に基づき再生された番組表の表示の一例であるが、この番組表では、番組を記録したい時間帯（この時間帯を設定時間帯と称することにする）の指定がなされている。同図において、３３１〜３３５はジャンルの例を示し、ドラマ３３１、映画３３２、バラエティ３３４、音楽３３５を示す。図１の記録再生装置１００の記録時間帯設定部２０４により、ユーザが番組を記録したい設定時間帯４００（例えば、１９：００〜２２：００の３時間のゴールデンタイムの時間帯）を設定できる。番組表示では、その設定時間帯４００が他の時間帯に比べて、例えば色が違って表示される。
【００２６】
図４は、図１で示した記録開始終了時間判定部２０５が主体となって動作する場合の判定フローチャートの一例である。図１で示した記録時間帯設定部２０４により時間帯開始時間ＳＴが設定されている。記録開始終了時間判定部２０５は、設定した時間帯開始時間ＳＴを用いて、予め指定した記録すべきチャネルｃｈの番組が時間帯開始時間ＳＴ以前にスタートするか否か（時間帯開始時間ＳＴを跨る番組か否か）の判定を行う。
【００２７】
処理ステップＳ１０１−Ｓ１１２は以下の様に行う。この処理は一例であり、限定されるものではない。またこのチェック処理の開始は、時間帯開始時間ＳＴの例えば２時間前、或いは３時間前にスタートする。なお用語「ステップ」は、モジュール或いはブロック或いは手段として称してもよい。
【００２８】
Ｓ１０１：時間帯開始時間ＳＴを跨る番組か否かの判定を開始する、
Ｓ１０２：記録時間帯設定部２０４で設定した時間帯開始時間ＳＴを取得する、
Ｓ１０３：記録時間帯設定部２０４で設定した時間帯終了時間ＥＴを取得する、
Ｓ１０４：時間帯開始時間ＳＴから時間帯終了時間ＥＴまでの電子番組ガイド（ＥＰＧ）情報を取得する、
Ｓ１０５：予め指定した一つ、又は複数の記録チャネルｃｈを取得する、
Ｓ１０６：電子番組ガイド（ＥＰＧ）情報から記録チャネルｃｈの時間帯開始時間ＳＴを含む番組開始時間ｅｐｇ＿ｓｔを取得する、
Ｓ１０７：時間帯開始時間ＳＴと番組開始時間ｅｐｇ＿ｓｔとを比較する、
Ｓ１０８：時間帯開始時間ＳＴと番組開始時間ｅｐｇ＿ｓｔが等しいか判断する、
比較結果が等しい（はい）ならば、Ｓ１０９へ移行する、
比較結果が等しくない（いいえ）ならば、Ｓ１１０へ移行する、
Ｓ１０９：時間帯開始時間ＳＴを跨らない番組であり、記録チャネルｃｈの時間帯開始時間ＳＴから記録開始する、
Ｓ１１０：時間帯開始時間ＳＴを跨る番組であり、記録チャネルｃｈの番組開始時間ｅｐｇ＿ｓｔに遡って記録開始する、
Ｓ１１１：予め指定した記録チャネルｃｈが複数ある場合は、次の記録チャネルｃｈの有無を確認し、ある場合は、Ｓ１０５へ。無い場合および記録チャネルｃｈが１つの場合は、Ｓ１１２へ移行する、
Ｓ１１２：時間帯開始時間ＳＴを跨る番組か否かの判定を終了する。
【００２９】
上記のように設定時間帯の開始時間ＳＴまえにスタートする番組が存在するかどうかを判断することにより、開始時間ＳＴを跨って放映される番組の記録ミスをなくすことができる。
【００３０】
図５は、記録開始終了時間判定部２０５が時間帯終了時間ＥＴを用いて動作する場合の判定フローチャートの一例である。図１で示した記録時間帯設定部２０４により時間帯終了時間ＥＴが設定されている。
【００３１】
記録開始終了時間判定部２０５は、設定した時間帯終了時間ＥＴを用いて、予め指定した記録すべきチャネルｃｈの番組が時間帯終了時間ＥＴ以降も番組を録り続ける否か（時間帯終了時間ＥＴを跨る番組か否か）の判定を行う。
【００３２】
処理ステップＳ２０１−Ｓ２１２は以下の様に行う。この処理は一例であり、限定されるものではない。またこのチェック処理の開始は、時間帯終了時間ＥＴの例えば２時間前、或いは３時間前にスタートする。
【００３３】
Ｓ２０１：時間帯終了時間ＥＴを跨る番組か否かの判定を開始する、
Ｓ２０２：記録時間帯設定部２０４で設定した時間帯開始時間ＳＴを取得する、
Ｓ２０３：記録時間帯設定部２０４で設定した時間帯終了時間ＥＴを取得する、
Ｓ２０４：時間帯開始時間ＳＴから時間帯終了時間ＥＴまでの電子番組ガイド（ＥＰＧ）情報を取得する、
Ｓ２０５：予め指定した一つ、又は複数の記録チャネルｃｈを取得する、
Ｓ２０６：電子番組ガイド（ＥＰＧ）情報から記録チャネルｃｈの時間帯終了時間ＥＴを含む番組終了時間ｅｐｇ＿ｅｔを取得する、
Ｓ２０７：時間帯終了時間ＥＴと番組終了時間ｅｐｇ＿ｅｔとを比較する、
Ｓ２０８：時間帯終了時間ＥＴと番組終了時間ｅｐｇ＿ｅｔが等しいか判断する、
比較結果が等しい（はい）ならば、Ｓ２０９へ移行する、
比較結果が等しくない（いいえ）ならば、Ｓ２１０へ移行する、
Ｓ２０９：時間帯終了時間ＥＴを跨らない番組であり、記録チャネルｃｈの時間帯終了時間ＥＴで記録終了する、
Ｓ２１０：時間帯終了時間ＥＴを跨る番組であり、記録チャネルｃｈの番組終了時間ｅｐｇ＿ｅｔまで記録継続する、
Ｓ２１１：予め指定した記録チャネルｃｈが複数ある場合は、次の記録チャネルｃｈの有無を確認し、ある場合は、Ｓ２０５へ移行する、無い場合および記録チャネルｃｈが１つの場合は、Ｓ２１２へ移行する、
Ｓ２１２：時間帯終了時間ＥＴを跨る番組か否かの判定を終了する、
上記のように設定時間帯の終了時間ＥＴよりも後に終了する番組が存在するかどうかを判断することにより、終了時間ＥＴを跨って放映される番組の記録ミスをなくすことができる。
【００３４】
本実施形態は、上記した内容に限定されるものではない。ジャンルに応じて記録のスキップ指定、或いは、記録選択したジャンルのみの記録指定も可能である。スキップ指定されたジャンルは記録されることはない。逆に選択されたジャンルは図３で説明した実施形態に関わらず、記録される。
【００３５】
図６は、スキップ（或いは選択）指定記録時の番組表の一例を示す。同図において、３３１〜３３３はジャンルの例を示し、ドラマ３３１、映画３３２、ＴＶショップ３３３を示す。図１の記録再生装置１００の記録スキップ条件設定部２０３にユーザがスキップしたいジャンルとして、例えばＴＶショップ３３３が設定されたとする。すると、図６に示す様に、記録再生装置１００は、ＴＶショップ３３３のジャンルの番組記録をスキップする。この場合の番組表上の表示は記録されていないので、選択できないようシェーディング表示される。
【００３６】
図７は、スキップジャンル設定画面の一例を示す。同図（ａ）は、ユーザがスキップする番組のジャンルを設定するための設定画面である。この設定画面では、ジャンル大分類５００を表示し、その画面内には、画面内に表示するジャンル項目をスライドするスライドバー５０１、ジャンルを選択するラジオボタン５０２とそのジャンル名、小分類設定ボタン５０３、設定ＯＫボタン５０４（或いはこれらの機能に相当するもの）を有する。
【００３７】
ジャンル区分は、例えば、図８に示す番組ジャンル区分を利用する。
【００３８】
この番組ジャンル区分は、図８に示すように１３ジャンルあり、ジャンルの大分類は、これらの情報を利用して行う。図７の（ａ）は、「情報・ワイドショー」のジャンル区分が大分類として選択された例である。図７の（ｂ）は、小分類設定ボタン５０３で選択した大分類のジャンルをさらにいくつかに分類した小分類のジャンルを選択するためのジャンル小分類５１０である。図７の（ｂ）は、ジャンルの大分類、「情報・ワイドショー」に含まれるジャンルの小分類、「ファッション」及び「ショッピング・通販」が選択されている状態を示したものである。
【００３９】
図９は、ユーザが記録をスキップしたい番組のジャンルを設定するためのスキップジャンル設定のフローチャートである。処理ステップＳ６０１−Ｓ６０７は以下の様に行う。この処理は一例であり、限定されるものではない。なお用語「ステップ」は、モジュール或いはブロック或いは手段として称してもよい。
【００４０】
Ｓ６０１：スキップジャンルの設定処理開始、
Ｓ６０２：図７で示したスキップジャンル設定画面５００の表示開始、
Ｓ６０３：ユーザが記録スキップしたい（記録不要の）番組ジャンルの大分類及び小分類を設定する、（複数設定可）
Ｓ６０４：記録スキップ設定ＯＫか？（設定ＯＫならＳ６０５へ、そうでないならＳ６０３へ）、
Ｓ６０５：ユーザが設定したスキップジャンル設定情報を保持、
Ｓ６０６：図７で示したスキップジャンル設定画面５００の表示終了、
Ｓ６０７：スキップジャンルの設定処理終了。
【００４１】
図１０は、ユーザが記録スキップしたい番組のジャンルを設定した場合のスキップ設定時の記録フローチャートである。処理ステップは以下の様に行う、
Ｓ７０１：スキップ設定記録時の処理開始、
Ｓ７０２：電子番組ガイド（ＥＰＧ）情報を取得、
Ｓ７０３：ユーザが設定したスキップジャンル設定情報を取得、
Ｓ７０４：ＥＰＧ情報に設定ジャンルが存在するか？（存在するならＳ７０５へ、そうでないならＳ７０６へ）、
Ｓ７０５：ＥＰＧ情報を利用し、設定ジャンルの記録をスキップ、
Ｓ７０６：設定ジャンル以外は、記録を継続、
Ｓ７０７：スキップ設定記録時の処理終了。
【００４２】
上記の説明はジャンルを指定して番組のスキップ、あるいは番組の予約記録を行ったが、番組を直接指定してスキップ、或いは予約記録を行うことも可能である。この場合は、番組表を表示した状態において、スキップ或いは予約記録の設定を行う手段が記録制御部２０７で動作する。
【００４３】
本実施形態は、例えば多チャネルまたは全チャネルで放送される全番組を２４時間丸ごと記録可能な記録再生装置に適用して有用である。
【００４４】
記録開始時刻及び記録終了時刻を設定したために、この記録開始時刻を跨ぐ番組、及び又は記録終了時刻を跨ぐ番組が存在する場合があるが、このような場合、適応的に前記記録開始時刻及び又は前記記録終了時刻をシフトさせることができる。また番組の放送時間帯の変更があった場合にも、適応的に前記記録開始時刻及び又は前記記録終了時刻をシフトさせる。この場合は、ＥＰＧ情報処理部２０１における電子番組情報の更新が記録時間開始時刻の２乃至３時間前、記録終了時刻の１時間前などに実行されるよう設定すると好都合である。
【００４５】
また本実施形態では、ユーザが予め記録不要と判断したジャンルの番組の記録を除外することで、従来技術に無い、記録領域の効率的な利用を提供し、不要な削除処理がなく、システム負荷やユーザ操作のストレスを軽減する効果が期待できる。
【００４６】
例えば、記録開始時刻と記録終了時刻の間の設定時間帯であっても、記録スキップさせる設定を行えるようにしてもよい。さらにまた本実施形態では、記録開始時刻と記録終了時刻が設定されていたとしても、特別記録指定が行われる機能があってもよいことは勿論である。つまり、個別の番組に対して、記録予約を行うことにより、設定時間帯及び設定時間帯を除く時間帯であっても予約された番組の記録は実施される。
【００４７】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
【符号の説明】
【００４８】
１００・・・記録再生装置、１０１・・・地上波デジタルチューナ部、１０２・・・衛星ＢＳ／ＣＳデジタルチューナ部、１０３・・・Ａ／Ｖ入力部、１０４・・・スイッチ部、１０５・・・エンコーダ部、１０６・・・フォーマッタ部、１０７・・・バッファメモリ部、１０８・・・ＳＴＣ（システムタイムクロック）、１０９・・・Ｄ−ＰＲＯ（デジタルプロセッサー）部、１１０・・・ディスクドライブ部、１１１・・・ＨＤＤ部、１１３・・・デコーダ部、１１４・・・セレクタ部、１１５・・・Ｄ／Ａ変換部、１１６・・・スピーカ出力部、１１７・・・Ｖミキシング部、１１８・・・フレームメモリ、１１９・・・Ｄ／Ａ変換部、２００・・・マイクロプロセッサユニット（ＭＰＵ）、２１２・・・操作入力部、２０１・・・ＥＰＧ情報処理部、２０２・・・受信制御部、２０３・・・記録スキップ条件設定部、２０４・・・記録時間帯設定部、２０５・・・記録開始終了時間判定部、２０６・・・高画質ジャンル条件設定部、２０７・・・記録制御部、２０８・・・自動削除処理制御部、２０９・・・再生制御部。
【図１】
2013115699.tif 000003
【図２】
2013115699.tif 000004
【図３】
2013115699.tif 000005
【図４】
2013115699.tif 000006
【図５】
2013115699.tif 000007
【図６】
2013115699.tif 000008
【図７】
2013115699.tif 000009
【図８】
2013115699.tif 000010
【図９】
2013115699.tif 000011
【図１０】
2013115699.tif 000012